(57)【要約】【課題】後処理装置に対応した停止位置に連続紙を停止でき、かつ停止位置に対応してヤレ紙の低減および巻き取り品位の確保を実現できる画像形成装置を提供する。【解決手段】搬送路を介して後処理装置と接続可能な画像形成装置であって、搬送路における連続紙の停止位置を受け付ける受付部と、搬送路において連続紙を搬送する搬送部と、連続紙に画像を形成する画像形成部と、回転体を互いに圧着して形成したニップ部で、通過する連続紙を加熱および加圧することで連続紙に形成された画像を定着する定着部と、連続紙に形成された画像のうち搬送方向に対し最上流の最終画像が定着部を通過した後、搬送を停止してから回転体を離間する第１制御と、回転体を離間してから搬送を停止する第２制御とを、受け付けられた停止位置に基づいて切り換える制御部と、を有する。【選択図】図１０
2019008217.tif 000002
【特許請求の範囲】
【請求項１】
連続紙を搬送するための搬送路を介して後処理装置と接続可能な画像形成装置であって、
前記搬送路における前記連続紙の停止位置を受け付ける受付部と、
前記搬送路において前記連続紙を搬送する搬送部と、
搬送される前記連続紙に画像を形成する画像形成部と、
回転体を互いに圧着して形成したニップ部で、通過する前記連続紙を加熱および加圧することにより前記連続紙に形成された前記画像を定着する定着部と、
前記連続紙に形成された前記画像のうち前記連続紙の搬送方向に対し最上流に形成された最終画像が前記定着部を通過した後、前記連続紙の搬送を停止してから圧着している前記回転体を離間する第１制御と、圧着している前記回転体を離間してから前記連続紙の搬送を停止する第２制御とを、受け付けられた前記停止位置に基づいて切り換える制御部と、を有する画像形成装置。
【請求項２】
前記制御部は、前記最終画像の停止位置として受け付けられた前記停止位置が前記画像形成装置から所定の第１距離未満である場合、前記第１制御を実行する、請求項１に記載の画像形成装置。
【請求項３】
前記制御部は、前記最終画像の停止位置として受け付けられた前記停止位置が前記画像形成装置から所定の第１距離以上である場合、前記第２制御を実行する、請求項１または２に記載の画像形成装置。
【請求項４】
前記制御部は、受け付けられた前記停止位置が前記画像形成装置から前記第１距離以上である場合、前記最終画像が前記定着部を通過した後、圧着している前記回転体の離間、前記連続紙の搬送の停止、画像形成時より減速させた搬送速度での前記連続紙の搬送、前記回転体の圧着、圧着している前記回転体の離間、前記連続紙の搬送の停止の順で、前記搬送部および前記定着部に対する制御を実行する、請求項３に記載の画像形成装置。
【請求項５】
前記制御部は、受け付けられた前記停止位置が前記画像形成装置から前記第１距離よりも長い所定の第２距離以下である場合、前記最終画像が前記定着部を通過したときから、前記回転体の加熱を停止する、請求項２〜４のいずれか一項に記載の画像形成装置。
【請求項６】
前記制御部は、受け付けられた前記停止位置が前記画像形成装置から前記第２距離を超える場合、前記最終画像が前記定着部を通過後、所定の距離を搬送されてから、前記回転体への加熱を停止する、請求項５に記載の画像形成装置。
【請求項７】
前記制御部は、受け付けられた前記停止位置が前記画像形成装置から前記第２距離を超える場合、前記最終画像が前記定着部を通過後、所定の距離を搬送されてから、圧着している前記回転体の離間、前記連続紙の搬送の停止、画像形成時より減速させた搬送速度での前記連続紙の搬送、前記回転体の圧着、圧着している前記回転体の離間、前記連続紙の搬送の停止の順で、前記搬送部および前記定着部に対する制御を実行する、請求項６に記載の画像形成装置。
【請求項８】
前記受付部は、ユーザーにより数値で入力される前記停止位置を受け付ける、請求項１〜７のいずれか一項に記載の画像形成装置。
【請求項９】
前記受付部は、前記画像形成装置に接続される前記後処理装置に応じて登録された前記停止位置のうちいずれかが選択されることにより前記停止位置を受け付ける、請求項１〜７のいずれか一項に記載の画像形成装置。
【請求項１０】
前記後処理装置に応じて前記停止位置があらかじめ登録されており、前記制御部は、前記後処理装置と接続された際に前記後処理装置から取得される前記後処理装置を特定する情報に基づいて、前記停止位置を決定し、
前記受付部は、決定された前記停止位置を受け付ける、請求項１〜７のいずれか一項に記載の画像形成装置。
【請求項１１】
前記制御部は、前記連続紙の紙種に基づいて、前記受付部により受け付けられた前記停止位置を変更する、請求項１〜１０のいずれか一項に記載の画像形成装置。
【請求項１２】
前記制御部は、前記連続紙の線速、環境温度、および環境湿度の少なくともいずれかに基づいて、受け付けられた前記停止位置に、前記連続紙を停止させるための前記搬送部への制御を調整する、請求項１〜１１のいずれか一項に記載の画像形成装置。
【請求項１３】
前記受付部は、事前に前記停止位置の候補の登録を受け付けるとともに、登録した前記停止位置の候補うちいずれかが選択されることにより前記停止位置を受け付ける、請求項１〜７、１１、１２のいずれか一項に記載の画像形成装置。
【請求項１４】
前記第１距離は前記連続紙の線速により異なる、請求項２〜４のいずれか一項に記載の画像形成装置。
【請求項１５】
前記第２距離は前記連続紙の線速により異なる、請求項５〜７、１４のいずれか一項に記載の画像形成装置。
【請求項１６】
前記搬送部は、前記回転体を回転駆動するＤＣモーターと、前記定着部より前記連続紙の搬送方向下流側に設けられ、ステッピングモーターで回転駆動されることにより前記連続紙を搬送する排紙ローラーと、を有し、
前記制御部は、前記連続紙を停止させる際、前記ＤＣモーターによる前記回転体の回転駆動の停止制御を開始してから前記回転体の回転が停止するまでの時間に、前記ステッピングモーターによる前記排紙ローラーの回転が停止するまでの時間が包含されるように、前記ＤＣモーターおよび前記ステッピングモーターを制御する、請求項１〜１５のいずれか一項に記載の画像形成装置。
【請求項１７】
画像形成装置と、連続紙を搬送するための搬送路を介して前記画像形成装置と接続された後処理装置とを有する画像形成システムであって、
前記画像形成装置は、
前記搬送路における前記連続紙の停止位置を受け付ける受付部と、
前記搬送路において前記連続紙を搬送する搬送部と、
搬送される前記連続紙に画像を形成する画像形成部と、
回転体を互いに圧着して形成したニップ部で、通過する前記連続紙を加熱および加圧することにより前記連続紙に形成された前記画像を定着する定着部と、
前記連続紙に形成された前記画像のうち前記連続紙の搬送方向に対し最上流に形成された最終画像が前記定着部を通過した後、前記連続紙の搬送を停止してから圧着している前記回転体を離間する第１制御と、圧着している前記回転体を離間してから前記連続紙の搬送を停止する第２制御とを、受け付けられた前記停止位置に基づいて切り換える制御部と、を有し、
前記後処理装置は、前記搬送路を介して前記画像形成装置から搬送された前記連続紙の後処理を行う、
画像形成システム。
【請求項１８】
連続紙を搬送するための搬送路を介して後処理装置と接続可能な画像形成装置による画像形成方法であって、
前記搬送路における前記連続紙の停止位置を受け付ける段階（ａ）と、
前記搬送路において前記連続紙を搬送する段階（ｂ）と、
搬送される前記連続紙に画像を形成する段階（ｃ）と、
回転体を互いに圧着して形成したニップ部で、通過する前記連続紙を加熱および加圧することにより前記連続紙に形成された前記画像を定着する段階（ｄ）と、
前記連続紙に形成された前記画像のうち前記連続紙の搬送方向に対し最上流に形成された最終画像が前記定着部を通過した後、前記連続紙の搬送を停止してから圧着している前記回転体を離間する第１制御と、圧着している前記回転体を離間してから前記連続紙の搬送を停止する第２制御とを、受け付けられた前記停止位置に基づいて切り換える段階（ｅ）と、
を有する画像形成方法。
【請求項１９】
画像形成装置を制御するための制御プログラムであって、請求項１８に記載の画像形成方法を、コンピューターに実行させるための画像形成装置用プログラム。
【発明の詳細な説明】
【技術分野】
【０００１】
本発明は画像形成装置、画像形成システム、画像形成方法、および画像形成装置用プログラムに関する。
【背景技術】
【０００２】
従来、用紙にトナー像を転写し定着させることで用紙に画像を形成する電子写真方式による画像形成装置が知られている。トナー像は、定着部において、加熱された回転体が互いに圧着することで形成されたニップ部を用紙が通過する際に、加熱および加圧されることで用紙に定着される。
【０００３】
このような画像形成装置により連続紙に画像形成する場合、画像形成装置には巻き取り装置などの後処理装置が接続され、後処理装置により連続紙の巻き取りなどの後処理がなされる。その際、後処理装置の種類等によって、画像形成装置から搬送される連続紙の停止位置を変更したいといったユーザーによる要望がある。これは、連続紙上のサンプル画像の確認、または連続紙の取り出しなどの目的により、連続紙を停止させたい位置が各後処理装置によって変わり得るからである。
【０００４】
連続紙の停止位置によっては次のような問題が生じ得る。たとえば、定着部の熱により連続紙の変形が生じ、巻き取り品位が低下する。また、後処理装置の構成によってはサンプル画像の確認ができない位置で停止する場合や、停止までの距離が長く必要以上にヤレ紙（廃棄する紙面）が増大する場合が生じ得る。さらに、連続紙の停止動作によって次のような問題が生じ得る。たとえば、画像形成後における定着部の回転体の冷却の際、冷却不足により、回転体に近い位置で停止した連続紙を変形させたり、冷却過剰により後続ジョブのためのウォーミングアップ時間を増大させ得る。また、定着部の回転体の離間を待って連続紙の搬送を停止することで、画像形成装置からの排紙直後の連続紙の停止ができなくなり得る。
【０００５】
定着部の熱による連続紙の変形を抑制するとともに連続紙上の画像の確認を可能とする先行技術としては、下記特許文献１に記載されたものがある。すなわち、定着部の回転体によるトナー画像の連続紙への定着後、ファンによる回転体への送風と、回転体による連続紙の搬送による連続紙への放熱とにより回転体を冷却する。その際、最後に画像形成された最終画像が、画像の確認が可能な位置に搬送されるまでに、回転体の冷却を完了する。これにより、回転体の熱により連続紙を変形させることなく最終画像の確認ができる。
【先行技術文献】
【特許文献】
【０００６】
【特許文献１】特開２０１７−６２３６３号公報
【発明の概要】
【発明が解決しようとする課題】
【０００７】
しかし、様々な後処理装置を画像形成装置に接続した際に、後処理装置によって停止したい位置が違うため、特許文献１に記載された技術では対応できないという問題がある。また、停止位置に対応してヤレ紙を低減し、巻き取り品位を確保することができないという問題がある。
【０００８】
本発明は、このような問題を解決するためになされたものである。すなわち、後処理装置に対応した停止位置に連続紙を停止でき、かつ停止位置に対応してヤレ紙の低減および巻き取り品位の確保を実現できる画像形成装置、画像形成システム、画像形成方法、および画像形成装置用プログラムを提供することを目的とする。
【課題を解決するための手段】
【０００９】
本発明の上記課題は、以下の手段によって解決される。
【００１０】
（１）連続紙を搬送するための搬送路を介して後処理装置と接続可能な画像形成装置であって、前記搬送路における前記連続紙の停止位置を受け付ける受付部と、前記搬送路において前記連続紙を搬送する搬送部と、搬送される前記連続紙に画像を形成する画像形成部と、回転体を互いに圧着して形成したニップ部で、通過する前記連続紙を加熱および加圧することにより前記連続紙に形成された前記画像を定着する定着部と、前記連続紙に形成された前記画像のうち前記連続紙の搬送方向に対し最上流に形成された最終画像が前記定着部を通過した後、前記連続紙の搬送を停止してから圧着している前記回転体を離間する第１制御と、圧着している前記回転体を離間してから前記連続紙の搬送を停止する第２制御とを、受け付けられた前記停止位置に基づいて切り換える制御部と、を有する画像形成装置。
【００１１】
（２）前記制御部は、前記最終画像の停止位置として受け付けられた前記停止位置が前記画像形成装置から所定の第１距離未満である場合、前記第１制御を実行する、上記（１）に記載の画像形成装置。
【００１２】
（３）前記制御部は、前記最終画像の停止位置として受け付けられた前記停止位置が前記画像形成装置から所定の第１距離以上である場合、前記第２制御を実行する、上記（１）または（２）に記載の画像形成装置。
【００１３】
（４）前記制御部は、受け付けられた前記停止位置が前記画像形成装置から前記第１距離以上である場合、前記最終画像が前記定着部を通過した後、圧着している前記回転体の離間、前記連続紙の搬送の停止、画像形成時より減速させた搬送速度での前記連続紙の搬送、前記回転体の圧着、圧着している前記回転体の離間、前記連続紙の搬送の停止の順で、前記搬送部および前記定着部に対する制御を実行する、上記（３）に記載の画像形成装置。
【００１４】
（５）前記制御部は、受け付けられた前記停止位置が前記画像形成装置から前記第１距離よりも長い所定の第２距離以下である場合、前記最終画像が前記定着部を通過したときから、前記回転体の加熱を停止する、上記（２）〜（４）のいずれかに記載の画像形成装置。
【００１５】
（６）前記制御部は、受け付けられた前記停止位置が前記画像形成装置から前記第２距離を超える場合、前記最終画像が前記定着部を通過後、所定の距離を搬送されてから、前記回転体への加熱を停止する、上記（５）に記載の画像形成装置。
【００１６】
（７）前記制御部は、受け付けられた前記停止位置が前記画像形成装置から前記第２距離を超える場合、前記最終画像が前記定着部を通過後、所定の距離を搬送されてから、圧着している前記回転体の離間、前記連続紙の搬送の停止、画像形成時より減速させた搬送速度での前記連続紙の搬送、前記回転体の圧着、圧着している前記回転体の離間、前記連続紙の搬送の停止の順で、前記搬送部および前記定着部に対する制御を実行する、上記（６）に記載の画像形成装置。
【００１７】
（８）前記受付部は、ユーザーにより数値で入力される前記停止位置を受け付ける、上記（１）〜（７）のいずれかに記載の画像形成装置。
【００１８】
（９）前記受付部は、前記画像形成装置に接続される前記後処理装置に応じて登録された前記停止位置のうちいずれかが選択されることにより前記停止位置を受け付ける、上記（１）〜（７）のいずれかに記載の画像形成装置。
【００１９】
（１０）前記後処理装置に応じて前記停止位置があらかじめ登録されており、前記制御部は、前記後処理装置と接続された際に前記後処理装置から取得される前記後処理装置を特定する情報に基づいて、前記停止位置を決定し、前記受付部は、決定された前記停止位置を受け付ける、上記（１）〜（７）のいずれかに記載の画像形成装置。
【００２０】
（１１）前記制御部は、前記連続紙の紙種に基づいて、前記受付部により受け付けられた前記停止位置を変更する、上記（１）〜（１０）のいずれかに記載の画像形成装置。
【００２１】
（１２）前記制御部は、前記連続紙の線速、環境温度、および環境湿度の少なくともいずれかに基づいて、受け付けられた前記停止位置に、前記連続紙を停止させるための前記搬送部への制御を調整する、上記（１）〜（１１）のいずれかに記載の画像形成装置。
【００２２】
（１３）前記受付部は、事前に前記停止位置の候補の登録を受け付けるとともに、登録した前記停止位置の候補うちいずれかが選択されることにより前記停止位置を受け付ける、上記（１）〜（７）、（１１）、（１２）のいずれかに記載の画像形成装置。
【００２３】
（１４）前記第１距離は前記連続紙の線速により異なる、上記（２）〜（４）のいずれかに記載の画像形成装置。
【００２４】
（１５）前記第２距離は前記連続紙の線速により異なる、上記（５）〜（７）、（１４）のいずれかに記載の画像形成装置。
【００２５】
（１６）前記搬送部は、前記回転体を回転駆動するＤＣモーターと、前記定着部より前記連続紙の搬送方向下流側に設けられ、ステッピングモーターで回転駆動されることにより前記連続紙を搬送する排紙ローラーと、を有し、前記制御部は、前記連続紙を停止させる際、前記ＤＣモーターによる前記回転体の回転駆動の停止制御を開始してから前記回転体の回転が停止するまでの時間に、前記ステッピングモーターによる前記排紙ローラーの回転が停止するまでの時間が包含されるように、前記ＤＣモーターおよび前記ステッピングモーターを制御する、上記（１）〜（１５）のいずれかに記載の画像形成装置。
【００２６】
（１７）画像形成装置と、連続紙を搬送するための搬送路を介して前記画像形成装置と接続された後処理装置とを有する画像形成システムであって、前記画像形成装置は、前記搬送路における前記連続紙の停止位置を受け付ける受付部と、前記搬送路において前記連続紙を搬送する搬送部と、搬送される前記連続紙に画像を形成する画像形成部と、回転体を互いに圧着して形成したニップ部で、通過する前記連続紙を加熱および加圧することにより前記連続紙に形成された前記画像を定着する定着部と、前記連続紙に形成された前記画像のうち前記連続紙の搬送方向に対し最上流に形成された最終画像が前記定着部を通過した後、前記連続紙の搬送を停止してから圧着している前記回転体を離間する第１制御と、圧着している前記回転体を離間してから前記連続紙の搬送を停止する第２制御とを、受け付けられた前記停止位置に基づいて切り換える制御部と、を有し、前記後処理装置は、前記搬送路を介して前記画像形成装置から搬送された前記連続紙の後処理を行う、画像形成システム。
【００２７】
（１８）連続紙を搬送するための搬送路を介して後処理装置と接続可能な画像形成装置による画像形成方法であって、前記搬送路における前記連続紙の停止位置を受け付ける段階（ａ）と、前記搬送路において前記連続紙を搬送する段階（ｂ）と、搬送される前記連続紙に画像を形成する段階（ｃ）と、回転体を互いに圧着して形成したニップ部で、通過する前記連続紙を加熱および加圧することにより前記連続紙に形成された前記画像を定着する段階（ｄ）と、前記連続紙に形成された前記画像のうち前記連続紙の搬送方向に対し最上流に形成された最終画像が前記定着部を通過した後、前記連続紙の搬送を停止してから圧着している前記回転体を離間する第１制御と、圧着している前記回転体を離間してから前記連続紙の搬送を停止する第２制御とを、受け付けられた前記停止位置に基づいて切り換える段階（ｅ）と、を有する画像形成方法。
【００２８】
（１９）画像形成装置を制御するための制御プログラムであって、上記（１８）に記載の画像形成方法を、コンピューターに実行させるためのプログラム。
【発明の効果】
【００２９】
後処理装置に対応した停止位置に連続紙を停止でき、かつ停止位置に対応してヤレ紙の低減および巻き取り品位の確保を実現できる。
【図面の簡単な説明】
【００３０】
【図１】画像形成システムの概略を示す全体構成図である。
【図２】画像形成装置の構成を示すブロック図である。
【図３】巻き取り装置に対応して登録された停止位置を選択するための選択画面を示す図である。
【図４】停止位置と停止制御について説明するための説明図である。
【図５】受け付けられた停止位置が停止位置１である場合の連続紙の第１停止制御を示すタイミングチャートである。
【図６】連続紙の停止制御における回転体駆動モーターおよび排紙モーターの停止開始のタイミング調整について説明するためのタイミングチャートである。
【図７】受け付けられた停止位置が停止位置２である場合の連続紙の第２停止制御を示すタイミングチャートである。
【図８】受け付けられた停止位置が停止位置３である場合の連続紙の第３停止制御を示すタイミングチャートである。
【図９】所定の第１距離および所定の第２距離を連続紙のプロセス線速によって変える場合の停止位置と停止制御を説明するための説明図である。
【図１０】画像形成装置の停止操作のフローチャートである。
【発明を実施するための形態】
【００３１】
以下、図面を参照して、本発明の実施形態に係る画像形成装置、画像形成システム、画像形成方法、および画像形成装置用プログラムについて詳細に説明する。なお、図面において、同一の要素には同一の符号を付し、重複する説明を省略する。また、図面の寸法比率は、説明の都合上誇張されており、実際の比率とは異なる場合がある。
【００３２】
以下の説明において、連続紙に画像形成された画像の搬送路上の位置を、単に「画像の位置」と称することがある。
【００３３】
図１は、実施形態に係る画像形成システムの概略を示す全体構成図である。図２は、画像形成装置の構成を示すブロック図である。
【００３４】
画像形成システム１００は、画像形成装置１１０、給紙装置１２０、および巻き取り装置１３０を有する。画像形成装置１１０、給紙装置１２０、および巻き取り装置１３０は、信号線を介して相互に通信可能に接続される。巻き取り装置１３０は後処理装置の一例である。以下、後処理装置について巻き取り装置１３０を例として説明するが、後処理装置は巻き取り装置１３０に限定されない。たとえば後処理装置は、連続紙を所定のサイズに断裁する断裁装置であり得る。
【００３５】
画像形成システム１００は、たとえば一つの筐体に画像形成装置１１０、給紙装置１２０、および巻き取り装置１３０が収納されることで、当該筐体に設けられた搬送路を介して接続されることにより構成され得る。画像形成システム１００は、それぞれ別の筐体に収納された画像形成装置１１０、給紙装置１２０、および巻き取り装置１３０が搬送路を介して接続されることにより構成されてもよい。
【００３６】
給紙装置１２０は、連続紙Ｓの元巻きである給紙ロールＲ０を収納および保持し、連続紙Ｓの搬送方向下流側の画像形成装置１１０に連続紙Ｓを送り出す。画像形成装置１１０は、電子写真方式により、連続紙Ｓにトナー像を転写し定着させることで連続紙Ｓに画像形成し、巻き取り装置１３０に排紙する。画像形成された連続紙Ｓは、連続紙Ｓの搬送方向下流側の巻き取り装置１３０に搬送され、回収ロールＲ１により巻き取られる。連続紙Ｓは搬送路１０１を搬送される。搬送方向は図１において矢印により示されている。
【００３７】
連続紙Ｓには、たとえば普通紙からなる紙系のロール紙、およびポリプロピレンまたはポリエチレンテレフタレートなどの樹脂からなるフィルム系のロール紙が含まれる。
【００３８】
画像形成装置１１０ついてさらに詳細に説明する。
【００３９】
画像形成装置１１０は、制御部１０、記憶部２０、通信部３０、操作部４０、表示部５０、画像制御部６０、画像形成部７０、定着部８０、および搬送部９０を有し、これらは、バス１１１を介して相互に接続される。
【００４０】
制御部１０は、ＣＰＵ（Ｃｅｎｔｒａｌ  Ｐｒｏｃｅｓｓｉｎｇ  Ｕｎｉｔ）により構成され得る。制御部１０は、プログラムにしたがって画像形成装置１１０の各構成要素の制御および各種演算処理を行う。すなわち、制御部１０は、画像形成装置１１０を構成する各構成要素と連携をとりながら、画像形成に関する制御および処理全般を行なう。さらに、制御部１０は、給紙装置１２０および巻き取り装置１３０と相互に通信し、給紙装置１２０および巻き取り装置１３０から情報を取得するとともに、これらの装置を制御する。
【００４１】
制御部１０の作用の詳細については後述する。
【００４２】
記憶部２０は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、およびＨＤＤ（Ｈａｒｄ  Ｄｉｓｋ  Ｄｒｉｖｅ）により構成され得る。ＲＡＭは、制御部１０の作業領域として一時的にプログラムやデータを記憶する。ＲＯＭは、あらかじめ各種プログラムや各種データを格納する。ＨＤＤは、オペレーションシステム、および制御部１０が画像形成装置１１０の各構成要素、給紙装置１２０、および巻き取り装置１３０を制御するためのプログラムを含む各種プログラムを格納する。また、ＨＤＤは、通信部３０を通じて受信した印刷ジョブ、画像データ、およびその他の各種データが保存される。なお、ＨＤＤに代えてフラッシュメモリが用いられ得る。
【００４３】
印刷ジョブとは、画像形成装置１１０に対する印刷命令の総称であり、印刷データおよび印刷設定が含まれる。印刷データとは、印刷の対象である文書のデータであり、印刷データには、例えば、イメージデータ、ベクタデータ、テキストデータといった各種データが含まれ得る。具体的には、印刷データは、ＰＤＬ（Ｐａｇｅ  Ｄｅｓｃｒｉｐｔｉｏｎ  Ｌａｎｇｕａｇｅ）データ、ＰＤＦ（Ｐｏｒｔａｂｌｅ  Ｄｏｃｕｍｅｎｔ  Ｆｏｒｍａｔ）データまたはＴＩＦＦ（Ｔａｇｇｅｄ  Ｉｍａｇｅ  Ｆｉｌｅ  Ｆｏｒｍａｔ）データであり得る。印刷設定とは、用紙への画像形成に関する設定であり、たとえば、ページ数、印刷部数、連続紙Ｓの紙種、連続紙Ｓの線速などの各種設定が含まれ得る。なお、印刷設定は、操作部４０から設定することもできる。
【００４４】
通信部３０は、画像形成装置１１０と外部機器との間で通信を行うためのインターフェースである。通信部３０として、イーサネット（登録商標）、ＳＡＴＡ、ＰＣＩ  Ｅｘｐｒｅｓｓ、ＵＳＢ、ＩＥＥＥ１３９４などの規格によるネットワークインターフェースが用いられ得る。また、通信部３０として、Ｂｌｕｅｔｏｏｔｈ（登録商標）、ＩＥＥＥ８０２．１１などの無線通信インターフェースなどの各種ローカル接続インターフェースなどが用いられてもよい。
【００４５】
操作部４０は、各種設定を行うタッチパネル、およびコピー枚数などを設定するテンキー、動作の開始を指示するスタートキー、動作の停止を指示するストップキー、各種設定条件を初期化するリセットキーなどの各種固定キーなどからなる。
【００４６】
表示部５０は、各種情報を表示し各種設定入力を行うタッチパネル、および表示ランプなどからなる。なお、操作部４０と表示部５０とで重複する機能は、操作部４０および表示部５０のいずれかが有するようにし得る。
【００４７】
画像制御部６０は、通信部３０により受信された印刷ジョブに含まれる印刷データのレイアウト処理およびラスタライズ処理を行い、ビットマップ形式の画像のデータである画像データを生成する。
【００４８】
画像形成部７０は、電子写真方式により帯電、露光、現像、および転写の各工程を経て、画像データに基づき、連続紙Ｓの表面にトナー画像を形成する。
【００４９】
画像形成部７０は、基本色のそれぞれに対応した書込部（図示せず）、現像ユニット７１Ｙ、７１Ｍ、７１Ｃ、７１Ｋ（以下、これらを総称して「現像ユニット７１」とも称する）、中間転写ベルト７２、転写ローラー７３、対向ローラー７４などを備える。
【００５０】
各現像ユニット７１は、内部に収納したトナーの色が異なる以外は同じ構成である。画像データに応じた書込部の露光により現像ユニット７１の感光体ドラムには潜像が形成され、これを現像器により現像することで各色のトナー画像が形成される。このトナー画像は、像担持体としての中間転写ベルト７２上に転写され（一次転写）、順次重ねられてフルカラーのトナー画像が形成される。
【００５１】
中間転写ベルト７２は、対向ローラー７４など、複数のローラーにより張架される。転写ローラー７３は、中間転写ベルト７２を間に挟んで対向ローラー７４に向けて所定の圧力で付勢される。これにより対向ローラー７４を覆う中間転写ベルト７２と、転写ローラー７３との間にニップ部Ｎ２が形成される。中間転写ベルト７２上に形成されたトナー画像は、ニップ部Ｎ２で、連続紙Ｓ上に転写され（二次転写）、連続紙Ｓ上にトナー画像が形成される。このトナー画像は、定着部８０で加熱および加圧されて用紙表面に定着される。
【００５２】
なお、本実施形態では、中間転写ベルト方式の画像形成装置を例示しているが、中間転写ベルト７２を備えずに、感光体ドラムから用紙に直接転写する直接転写方式の画像形成装置であってもよい。この直接転写方式の画像形成装置では、複数の像担持体としての感光体ドラムをそれぞれに対応する複数の転写ローラーとともに搬送方向に並べて配置し、各感光体ドラム上に形成した各色のトナー画像を連続紙Ｓ上に、順次、重ねて転写することでフルカラートナー画像を形成する。
【００５３】
定着部８０は、連続紙Ｓの表面に形成されたトナー画像をニップ部Ｎ３で、加熱および加圧することで定着する。定着部８０は、加熱ローラー８１、定着ベルト８２、上加圧ローラー８３、および下加圧ローラー８４を有する。加熱ローラー８１は中空の内部にハロゲンランプなどのヒーターを複数本配置している。
【００５４】
加熱ローラー８１と上加圧ローラー８３には、無端状の定着ベルト８２が張架されている。定着ベルト８２は、ヒーターにより加熱された加熱ローラー８１により所定温度になるように温度制御（加熱）される。
【００５５】
下加圧ローラー８４は、定着ベルト８２を間に挟んで上加圧ローラー８３に向けて所定の圧力で付勢される。これにより上加圧ローラー８３を覆う定着ベルト８２と、下加圧ローラー８４とが圧着され、両者の間にニップ部Ｎ３が形成される。連続紙Ｓに形成されたトナー画像は、ニップ部Ｎ３に搬送し、加熱および加圧することで、連続紙Ｓの表面に定着される。以下、定着ベルト８２および下加圧ローラー８４を回転体とも称する。定着ベルト８２と下加圧ローラー８４との圧着を、「回転体の圧着」と称する。また、定着ベルト８２と下加圧ローラー８４との離間を、「回転体の離間」と称する。
【００５６】
上加圧ローラー８３および下加圧ローラー８４の少なくとも一方は回転体駆動モーター（図示せず）により回転駆動される。すなわち、上加圧ローラー８３および下加圧ローラー８４は、回転体駆動モーターによりトルクが付与されることで回転し、トルクが付与されなくなることで回転を停止する。上加圧ローラー８３および下加圧ローラー８４が回転することで、ニップ部Ｎ３において連続紙Ｓが加熱および加圧されつつ搬送される。回転体駆動モーターとしては、ＤＣモーターが用いられ得る。
【００５７】
搬送部９０は、複数の搬送ローラー９１、９２、９３、およびこれらの搬送ローラー９１、９２、９３を駆動するモーター（図示せず）などの駆動源を備える。当該モーターとしては、ステッピングモーターが用いられ得る。連続紙を画像形成装置１１０から排紙するための搬送ローラー９３は、排紙ローラーを構成する。以下、排紙ローラーである搬送ローラー９３を駆動するモーターを排紙モーターと称する。
【００５８】
搬送ローラー９１の両ローラーは互いに付勢されてニップ部Ｎ１を形成し、挟持する連続紙Ｓを搬送する。同様に、搬送ローラー９３の両ローラーは互いに付勢されてニップ部Ｎ４を形成し、挟持する連続紙Ｓを搬送する。搬送ローラー９２は、従動ローラーであり、連続紙Ｓの上面（表面）に当接しながら回転する。
【００５９】
搬送路１０１は、搬送ローラー９１、９２、９３の回転により連続紙Ｓが搬送される経路として構成され得る。搬送路１０１は、さらに、給紙装置１２０のローラー１２１、および巻き取り装置１３０のローラー１３１の回転により連続紙Ｓが搬送される経路としても構成され得る。搬送路１０１は、巻き取り装置１３０の装置外部および装置内部の何れに備えられた構成であっても構わない。また、画像形成装置１１０が搬送路１０１を備える構成であっても構わない。すなわち、画像形成システム１００が搬送路１０１を備える構成であれば良い。
【００６０】
搬送路１０１には、搬送方向に沿って配置した、連続紙Ｓの有無および連続紙Ｓに画像形成された画像を検知する光学センサー（図示せず）を備える。これにより、連続紙Ｓに画像形成された画像のうち、搬送方向に対し最上流に形成された画像（以下、「最終画像」と称する）の搬送路１０１上の位置を検知し得る。最終画像は、連続紙Ｓに最後に形成された画像である。
【００６１】
定着部８０と搬送ローラー９３との間の搬送路１０１には、連続紙Ｓのループ量を検知するための光学センサー（図示せず）を備える。検知されたループ量に基づいて、上加圧ローラー８３および下加圧ローラー８４、ならびに搬送ローラー９３の回転が制御される。これにより、定着部８０と搬送ローラー９３との間で生じさせる連続紙Ｓのループ量が所定の閾値以下に維持される。
【００６２】
制御部１０の作用について説明する。
【００６３】
制御部１０は、連続紙Ｓの停止位置（以下、単に「停止位置」と称する）を受け付ける受付部として機能する。停止位置は、連続紙Ｓ上の最終画像の中心部（先端部または後端部であってもよい）を停止させる、画像形成装置１１０からの距離と定義され得る。画像形成装置１１０からの距離は、たとえば画像形成装置１１０の排紙口からの距離とし得る。停止位置は、巻き取り装置１３０に対応して決定される。
【００６４】
制御部１０は、停止位置が数値としてユーザーにより操作部４０に入力されることで、停止位置を受け付け得る。制御部１０は、巻き取り装置１３０から送信される後処理装置を特定する情報に基づいて停止位置を決定することで当該停止位置を受け付けてもよい。その際、巻き取り装置１３０に対応する停止位置は、あらかじめ記憶部２０に記憶されることで利用され得る。後処理装置を特定する情報には、たとえば巻き取り装置１３０のユニークなＩＤ番号が含まれる。また、制御部１０は、巻き取り装置１３０ごとにあらかじめ登録された停止位置のうちいずれかがユーザーにより操作部４０において選択されることで、停止位置を受け付けてもよい。
【００６５】
図３は、巻き取り装置に対応して登録された停止位置を選択するための選択画面を示す図である。
【００６６】
停止位置を選択するための選択画面には、巻き取り装置１３０に対応してあらかじめ候補として登録された３つの停止位置１〜３が、画像形成装置１１０からの距離として表示される。そして、３つの停止位置１〜３のうちいずれかを選択するためのチェックボックスが表示される。制御部１０は、セットボタンが選択されることで、チェックボックスにチェックされた停止位置を停止制御における停止位置として受け付ける。また、選択画面には、停止位置１〜３を数値により停止位置の候補を登録または更新するためのタッチパネルによるテンキーが表示され得る。図３においては、停止位置１〜３の現在値として、それぞれ０．８ｍ、１ｍ、３ｍが登録されている。
【００６７】
制御部１０は、受け付けられた停止位置に基づいて、最終画像が定着部８０（より詳細にはニップ部Ｎ３）を通過した後の連続紙Ｓの停止制御を、第１制御または第２制御のいずれかに切り換える。第１制御は、連続紙Ｓの搬送を停止してから、定着部８０の圧着している回転体を離間させる制御である。第２制御は、定着部８０の圧着している回転体を離間させてから、連続紙Ｓの搬送を停止させる制御である。
【００６８】
図４は、停止区間と停止制御について説明するための説明図である。
【００６９】
停止制御は、受け付けられた停止位置が、停止区間１〜３のいずれに該当するかによって切り換えられる。
【００７０】
停止区間１は、画像形成装置１１０から所定の第１距離未満の停止位置が含まれる区間である。所定の第１距離については後述するが、たとえば画像形成装置１１０の排出口から０．９７ｍの距離とし得る。停止位置１は、停止区間１に含まれる。停止区間１内の停止位置１に最終画像が停止するように停止制御を行うことにより、より早く最終画像を確認できるとともに、ヤレ紙を低減できる。停止位置１に最終画像を停止させる場合は、たとえば、停止位置１において最終画像の確認ができ、かつ連続紙Ｓが紙系のロール紙である場合が考えられる。
【００７１】
停止区間２は、画像形成装置１１０から所定の第１距離以上で、所定の第２距離以下の停止位置が含まれる区間である。所定の第２距離については後述するが、たとえば画像形成装置１１０の排出口から２．２８ｍの距離とし得る。停止位置２は、停止区間２に含まれる。停止区間２内の停止位置２に最終画像が停止するように停止制御を行うことにより、最終画像の確認ができるとともに、定着部８０の熱による連続紙の変形などを防止できる。
【００７２】
停止区間３は、画像形成装置１１０から所定の第２距離を超える停止位置が含まれる区間である。停止位置３は、停止区間３に含まれる。停止区間３内の停止位置３に最終画像が停止するように停止制御を行うことにより、最終画像の確認ができるとともに、定着部８０の熱による連続紙の変形などを防止できる。さらに、停止位置において連続紙Ｓを容易に取り出すことができ得る。
【００７３】
制御部１０は、受け付けられた停止位置が停止区間１内の場合は、第１制御を行う。受け付けられた停止位置が停止区間２内または停止区間３内の場合は、第２制御を行う。
【００７４】
図５は、受け付けられた停止位置が停止位置１（停止区間１内）である場合の連続紙の第１停止制御を示すタイミングチャートである。図５においては、定着部８０の回転体の加熱、回転体の圧着および離間（以下、「回転体の圧離」とも称する）、回転体駆動モーター、および排紙モーターの制御が示されている。
【００７５】
制御部１０は、所定の第１距離未満の停止位置である停止位置１が受け付けられた場合、最終画像が定着部８０を通過したときから回転体への加熱を停止する。そして、最終画像が画像形成装置１１０の排紙口を通過した後、上述の第１制御を行う。すなわち、画像形成の際の連続紙Ｓの線速（以下、「プロセス線速」と称する）で搬送している連続紙Ｓ上の最終画像を停止位置１に停止させた後、回転体を離間する。
【００７６】
制御部１０は、連続紙Ｓの停止制御の際、回転体駆動モーターと排紙モーターとの停止時間の差異を吸収するために、両者の停止開始のタイミングを調整する。このような調整は、回転体駆動モーターと排紙モーターとの停止時間の差異に起因して、連続紙Ｓのループ量が過大となることや、排紙モーターの脱調を防止するために行われる。以下、回転体駆動モーターがＤＣモーターにより構成され、排紙モーターがステッピングモーターで構成されている場合を例に説明する。
【００７７】
図６は、連続紙の停止制御における回転体駆動モーターおよび排紙モーターの停止開始のタイミング調整について説明するためのタイミングチャートである。
【００７８】
回転体駆動モーターはＤＣモーターであり、停止制御の開始から実際に停止するまでの停止時間が比較的大きい。また、回転体のイナーシャの影響で停止時間はさらに大きくなる。一方、排紙モーターはステッピングモーターであるため、停止時間が小さい。このため、制御部１０は、次のように回転体駆動モーターおよび排紙モーターの停止開始タイミングを制御する。すなわち、回転体駆動モーターによる回転体の回転駆動の停止制御を開始してから回転体が停止するまでの時間に、排紙モーターによる搬送ローラー９３の回転駆動を停止するまでの時間が包含されるようにする。これにより、回転体との間で生じさせる連続紙のループ量が所定の閾値以下に維持されるとともに、搬送ローラー９３の脱調が防止される。
【００７９】
制御部１０は、連続紙Ｓの紙種に基づいて連続紙Ｓの停止位置を変更し得る。すなわち、たとえば連続紙Ｓが普通紙よりも熱変形しやすいフィルム系のロール紙である場合は、受け付けられた停止位置１を、連続紙Ｓの搬送方向下流側にオフセットさせ得る。これにより、連続紙Ｓの定着部８０の熱による変形などを抑止し得る。なお、上記オフセットには、所定の値の加減算および乗算を含む。
【００８０】
制御部１０は、連続紙Ｓの線速、環境温度、および環境湿度の少なくともいずれかに基づいて、受け付けられた停止位置に連続紙Ｓを停止させるための回転体の停止制御を調整し得る。すなわち、制御部１０は、停止位置を変動させる要因となる連続紙Ｓの線速、環境温度、および環境湿度に基づいて、これらの要因に基づく停止位置の変動を抑制するように回転体駆動モーターおよび排紙モーターを制御する。たとえば、連続紙Ｓの線速が高速の場合は、慣性力により搬送ローラー９３および回転体の回転が停止しにくくなるため、目標とする停止位置を、受け付けられた停止位置より連続紙Ｓの搬送方向に対し上流側にオフセットさせるように制御し得る。また、環境湿度の上昇により搬送ローラー９３および回転体が膨張し得るため、目標とする停止位置を、受け付けられた停止位置より連続紙Ｓの搬送方向に対し上流側にオフセットさせるように制御し得る。なお、環境温度および環境湿度はそれぞれ画像形成装置１１０の内部または外部に設置された温度計（図示せず）および湿度計（図示せず）による測定値を利用し得る。
【００８１】
図７は、受け付けられた停止位置が停止位置２（停止区間２内）である場合の連続紙の第２停止制御を示すタイミングチャートである。
【００８２】
制御部１０は、所定の第１距離以上の停止位置である停止位置２が受け付けられた場合、最終画像が定着部８０を通過したときから回転体への加熱を停止する。そして、最終画像が画像形成装置１１０の排紙口を通過した後、上述の第２制御を行う。すなわち、一定の離間所要時間をかけて回転体を離間した後、プロセス線速で搬送している連続紙Ｓ上の最終画像を一旦停止させる。その後、制御部１０は、定着部８０（より詳細には回転体）の冷却を行う。すなわち、回転体が離間した状態で、排紙モーターによる、プロセス線速より低速で連続紙Ｓの搬送を再開する。その際、回転体駆動モーターを排紙モーターに対応した低速駆動に切り替える。その後、回転体を圧着することで、回転体の熱を、低速で搬送される連続紙Ｓへ放熱させることにより定着部８０を冷却する。そして、回転体を離間させた後、排紙モーターによる搬送ローラー９３の駆動により停止位置２に連続紙Ｓ上の最終画像を停止させる。
【００８３】
所定の第１距離は、図７に示す第２停止制御を完了可能な最短距離とし得る。すなわち、最終画像が定着部８０を通過した後、圧着している回転体の離間、連続紙Ｓの搬送の停止、プロセス線速より減速させた線速での連続紙Ｓの搬送、回転体の圧着、圧着している回転体の離間、および連続紙Ｓの搬送の停止を完了可能な最短距離とし得る。
【００８４】
図８は、受け付けられた停止位置が停止位置３（停止区間３内）である場合の連続紙の第３停止制御を示すタイミングチャートである。
【００８５】
制御部１０は、所定の第２距離を超える停止位置である停止位置３が受け付けられた場合、最終画像が定着部８０を通過後、所定の距離を搬送されてから回転体への加熱を停止する。所定の距離は、たとえば回転体の離間を開始するタイミングに基づいて設定され得る。すなわち、回転体への加熱を停止するタイミングは回転体の離間を開始するタイミングと一致させ得る。このように、最終画像が定着部８０を通過後、所定の距離を搬送されてから回転体への加熱を停止するのは、次の理由による。すなわち、停止距離３は画像形成装置１１０から比較的離れた位置であるため、最も早いタイミングで回転体への加熱を停止すると、冷却過剰により後続ジョブのためのウォーミングアップ時間を増大させ得るからである。制御部１０は、回転体への加熱を停止したときから、上述の第２制御を行う。すなわち、一定の離間所要時間をかけて回転体を離間した後、プロセス線速で搬送している連続紙Ｓ上の最終画像を一旦停止させる。その後、制御部１０は、定着部８０の冷却を行う。すなわち、回転体が離間した状態で、排紙モーターによる、プロセス線速より低速で連続紙Ｓの搬送を再開する。その際、回転体駆動モーターを排紙モーターに対応した低速駆動に切り替える。その後、回転体を圧着することで、回転体の熱を、低速で搬送される連続紙Ｓへ放熱させることにより定着部８０を冷却する。そして、回転体を離間させた後、排紙モーターによる搬送ローラー９３の駆動により停止位置３に連続紙Ｓ上の最終画像を停止させる。
【００８６】
所定の第２距離は、たとえば最終画像が定着部８０を通過したときから回転体への加熱を停止することにより回転体が過剰冷却とならない最長距離とし得る。
【００８７】
制御部１０は、所定の第１距離をプロセス線速によって変え得る。また、所定の第２距離をプロセス線速によって変え得る。
【００８８】
図９は、所定の第１距離および所定の第２距離を連続紙のプロセス線速によって変える場合の停止位置と停止制御を説明するための説明図である。
【００８９】
上述したように、所定の第１距離は、第２停止制御を完了可能な最短距離とし得る。図７に示すように、第２停止制御においては、一定の離間所要時間中は、プロセス速度で連続紙Ｓが搬送される。離間所要時間はプロセス線速によらずに一定であるため、離間所要時間中に搬送される連続紙Ｓの距離はプロセス線速により異なる。これにより、第２停止制御を完了可能な最短距離がプロセス線速により異なることとなる。よって、所定の第１距離をプロセス線速によって変え得る。また、所定の第１距離をプロセス線速によって変えることにより所定の第２距離も変え得る。
【００９０】
図９に示すように、低速、中速、および高速のプロセス線速に対応して、所定の第１距離をそれぞれ０．５１ｍ、０．７０ｍ、０．９７ｍとし得る。また、低速、中速、および高速のプロセス線速に対応して、所定の第２距離をそれぞれ１．８２ｍ、２．０１ｍ、２．２８ｍとし得る。
【００９１】
図１０は、画像形成装置の停止操作のフローチャートである。本フローチャートは、画像形成装置１１０の制御部１０により、プログラムにしたがい実行される。
【００９２】
制御部１０は、連続紙Ｓの停止位置Ｘを受け付ける（Ｓ１０１）。
【００９３】
制御部１０は、印刷ジョブに含まれる印刷設定を受信し、印刷設定に基づいて連続紙Ｓの紙種および連続紙Ｓへの画像形成の際のプロセス線速を設定する（Ｓ１０２）。
【００９４】
制御部１０は、連続紙Ｓへの画像形成を開始する（Ｓ１０３）。
【００９５】
制御部１０は、プロセス線速が低速か中速か高速かを判断する（Ｓ１０４）。制御部１０は、プロセス線速が高速であると判断した場合は、高速用の所定の第１距離と所定の第２距離を読み出す（Ｓ１０５）。制御部１０は、プロセス線速が中速であると判断した場合は、中速用の所定の第１距離と所定の第２距離を読み出す（Ｓ１０６）。制御部１０は、プロセス線速が低速であると判断した場合は、低速用の所定の第１距離と所定の第２距離を読み出す（Ｓ１０７）。
【００９６】
制御部１０は、停止位置Ｘが所定の第１距離未満であると判断した場合は（Ｓ１０８：ＹＥＳ）、最終画像が定着部８０を通過したときから（Ｓ１０９：ＹＥＳ）、定着部８０の回転体の加熱を停止する（Ｓ１１０）。制御部１０は、連続紙Ｓ上の最終画像が停止位置Ｘ（停止位置１）まで搬送されたときに連続紙Ｓの搬送を停止する（Ｓ１１１）。その後、制御部１０は、回転体を離間する（Ｓ１１２）。
【００９７】
制御部１０は、停止位置Ｘが所定の第１距離以上であると判断した場合は（Ｓ１０８：ＮＯ）、停止位置Ｘが所定の第２距離以下かどうか判断する（Ｓ１１４）。制御部１０は、停止位置Ｘが所定の第２距離以下であると判断したときは（Ｓ１１４：ＹＥＳ）、最終画像が定着部８０を通過したときから（Ｓ１１５：ＹＥＳ）、回転体の加熱を停止する（Ｓ１１６）。制御部１０は、回転体を離間した後（Ｓ１１７）、連続紙Ｓ上の最終画像が停止位置Ｘ（停止位置２）まで搬送されたときに連続紙Ｓの搬送を停止する（Ｓ１１８）。なお、上述したように、ステップＳ１１７とステップＳ１１８との間で、定着部８０の冷却動作が実行され得る。
【００９８】
制御部１０は、停止位置Ｘが所定の第２距離を超えていると判断したときは（Ｓ１１４：ＮＯ）、最終画像が定着部８０を通過した後（Ｓ１１９：ＹＥＳ）、所定の距離を搬送されてから、（Ｓ１２０：ＹＥＳ）、回転体の加熱を停止する（Ｓ１２１）。制御部１０は、回転体を離間した後（Ｓ１２２）、連続紙Ｓ上の最終画像が停止位置Ｘ（停止位置３）まで搬送されたときに連続紙Ｓの搬送を停止する（Ｓ１２３）。
【００９９】
本実施形態は、以下の効果を奏する。
【０１００】
受け付けられた停止位置に基づいて、最終画像が定着部を通過した後、連続紙の搬送を停止してから圧着している回転体を離間する第１制御と、圧着している回転体を離間してから連続紙の搬送を停止する第２制御とを切り換える。これにより、後処理装置に対応した停止位置に連続紙を停止でき、かつ停止位置に対応してヤレ紙の低減および巻き取り品位の確保を実現できる。
【０１０１】
さらに、受け付けられた停止位置が画像形成装置から所定の第１距離未満である場合、最終画像が定着部を通過した後、連続紙の搬送を停止してから圧着している回転体を離間する。これにより、簡単かつ効果的に、後処理装置に対応した停止位置に連続紙を停止でき、かつヤレ紙を低減できる。
【０１０２】
さらに、受け付けられた停止位置が画像形成装置から所定の第１距離以上である場合、最終画像が定着部を通過した後、圧着している回転体を離間してから連続紙の搬送を停止する。これにより、簡単かつ効果的に、後処理装置に対応した停止位置に連続紙を停止でき、かつ停止位置に対応してヤレ紙の低減および巻き取り品位の確保を実現できる。
【０１０３】
さらに、受け付けられた停止位置が画像形成装置から第１距離以上である場合、最終画像が定着部を通過した後、次の停止制御を行う。すなわち、圧着している回転体の離間、連続紙の搬送の停止、プロセス線速より減速させた搬送速度での連続紙の搬送、回転体の圧着、回転体の離間、連続紙の搬送の停止の順で停止制御を行う。これにより、連続紙を停止する前に回転体の冷却を実行することで、より確実に巻き取り品位の確保を実現できる。
【０１０４】
さらに、受け付けられた停止位置が画像形成装置から第１距離以上で所定の第２距離以下である場合、最終画像が定着部を通過したときから、回転体の加熱を停止する。これにより、回転体への加熱時間を低減できるとともに、冷却過剰による後続ジョブのためのウォーミングアップ時間の増大を防止できる。
【０１０５】
さらに、受け付けられた停止位置が画像形成装置から所定の第２距離以上である場合、最終画像が定着部を通過後、所定の距離を搬送されてから、回転体の加熱を停止する。これにより、回転体への加熱時間を最適化できるとともに、冷却過剰による後続ジョブのためのウォーミングアップ時間の増大を防止できる。
【０１０６】
さらに、受け付けられた停止位置が画像形成装置から第２距離を超える場合、最終画像が定着部を通過後、所定の距離を搬送されてから、次の停止制御を行う。すなわち、圧着している回転体の離間、連続紙の搬送の停止、プロセス線速より減速させた搬送速度での連続紙の搬送、回転体の圧着、回転体の離間、連続紙の搬送の停止の順で停止制御を行う。これにより、連続紙を停止する前に回転体の冷却を実行することで、より確実に巻き取り品位の確保を実現できる。
【０１０７】
さらに、停止位置を、ユーザーによる数値入力により受け付ける。これにより、後処理装置に対応して、最終画像を、所望の停止位置により自由に停止できる。
【０１０８】
さらに、画像形成装置に接続される後処理装置に応じて登録された停止位置のうちいずれかが選択されることにより停止位置を受け付ける。これにより、後処理装置に対応してより簡単に所望の停止位置に停止できる。
【０１０９】
さらに、後処理装置と接続された際に後処理装置から取得される後処理装置を特定する情報に基づいて、停止位置を決定し、決定された停止位置を受け付ける。これにより、後処理装置を意識することなく、後処理装置に対応した停止位置に連続紙を停止でき、かつ停止位置に対応してヤレ紙の低減および巻き取り品位の確保を実現できる。
【０１１０】
さらに、連続紙の紙種に基づいて、受付けられた停止位置を変更する。これにより、紙種に基づき停止位置を最適化することで、紙種に応じて巻き取り品位の確保およびヤレ紙の低減を効果的に実現できる。
【０１１１】
さらに、連続紙の線速、環境温度、および環境湿度の少なくともいずれかに基づいて、受け付けられた停止位置に連続紙を停止させるための排紙ローラーおよび回転体の少なくともいずれか一方への制御を調整する。これにより、連続紙の線速や環境条件によらず、連続紙の停止精度を確保できる。
【０１１２】
さらに、事前に停止位置の候補の登録を受け付けるとともに、登録された停止位置の候補うちいずれかが選択されることにより停止位置を受け付ける。これにより、より簡単に、最終画像を所望の停止位置に停止できる。
【０１１３】
連続紙を停止させる際、ＤＣモーターによる回転体の回転駆動の停止制御を開始してから回転体の回転が停止するまでの時間に、ステッピングモーターによる排紙ローラーの回転が停止するまでの時間が包含されるようにする。これにより、回転体との間で生じさせる連続紙のループ量を所定の閾値以下に維持できるとともに、排紙ローラーの脱調を防止できる。
【０１１４】
本発明に係る画像形成装置、画像形成システム、画像形成方法、および画像形成装置用プログラムは、上述した実施形態に限定されない。
【０１１５】
たとえば、実施形態においてプログラムにより実行される処理の一部または全部を回路などのハードウェアに置き換えて実行され得る。
【符号の説明】
【０１１６】
１０    制御部、
７０    画像形成部、
８０    定着部、
８２    定着ベルト、
８３    上加圧ローラー、
８４    下加圧ローラー、
９１、９２、９３    搬送ローラー、
１００    画像形成システム、
１０１    搬送路、
１１０    画像形成装置、
１２０    給紙装置、
１３０    巻き取り装置。
【図１】
2019008217.tif 000003
【図２】
2019008217.tif 000004
【図３】
2019008217.tif 000005
【図４】
2019008217.tif 000006
【図５】
2019008217.tif 000007
【図６】
2019008217.tif 000008
【図７】
2019008217.tif 000009
【図８】
2019008217.tif 000010
【図９】
2019008217.tif 000011
【図１０】
2019008217.tif 000012